(57)【要約】【課題】装置の規模を大きくすることなく、動画像から減色動画像を得る。【解決手段】リクエスト受信部１２において、携帯端末装置３からの動画像の送信リクエストを受け付け、機種判別部１３が携帯端末装置３の機種を判別する。動画像フォーマット変換部１４が機種に応じたフォーマットとなるように動画像データＭ０を変換する。携帯電話端末装置３が動画像データを表示可能な機種でない場合、減色処理部１５が動画像データＭ１を減色処理して減色動画像データＲ１を生成する。この際、１つのパレットデータのみを生成して減色処理を行う。画像出力部１６が、動画像データＭ１または減色処理により得られた減色動画像データＲ１をリクエストを行った携帯端末装置３に送信する。【選択図】          図１
2004343612.tif 000002
【特許請求の範囲】
【請求項１】
複数フレームからなる動画像を所定数の色を有する減色動画像に変換する動画像変換装置において、
前記複数フレームを代表する基準フレームを生成する基準フレーム生成手段と、
該基準フレームから前記所定数の色の１つのパレットデータを生成するパレットデータ生成手段と、
前記複数フレームから前記減色動画像の生成に使用する複数の減色動画像生成用フレームをサンプリングするフレームサンプリング手段と、
前記減色動画像生成用フレームを前記パレットデータにより減色動画像フレームに変換する減色処理手段と、
該減色動画像フレームを合成して前記減色動画像を生成するフレーム合成手段とを備えたことを特徴とする動画像変換装置。
【請求項２】
前記基準フレーム生成手段は、前記複数フレームの全部または一部のフレームから前記基準フレームを生成する手段であることを特徴とする請求項１記載の動画像変換装置。
【請求項３】
動画像の送信を要求した送信要求端末装置に、該要求された動画像を送信する動画像配信装置において、
前記送信要求端末装置の機種を判別する機種判別手段と、
該送信要求端末装置の機種が前記動画像を表示できないが減色動画像を表示できる場合に、前記要求された動画像を減色動画像に変換する減色動画像変換手段とを備え、
前記減色動画像を前記動画像に代えて前記送信要求端末装置に送信することを特徴とする動画像配信装置。
【請求項４】
前記減色動画像変換手段は、前記動画像を構成する複数フレームを代表する基準フレームを生成する基準フレーム生成手段と、
該基準フレームから前記所定数の色の１つのパレットデータを生成するパレットデータ生成手段と、
前記複数のフレームから前記減色動画像の生成に使用する複数の減色動画像生成用フレームをサンプリングするフレームサンプリング手段と、
前記減色動画像生成用フレームを前記パレットデータにより減色動画像フレームに変換する減色処理手段と、
該減色動画像フレームを合成して前記減色動画像を生成するフレーム合成手段とを備えたことを特徴とする請求項３記載の動画像配信装置。
【請求項５】
複数フレームからなる動画像を所定数の色を有する減色動画像に変換する動画像変換方法において、
前記複数フレームを代表する基準フレームを生成し、
該基準フレームから前記所定数の色の１つのパレットデータを生成し、
前記複数フレームから前記減色動画像の生成に使用する複数の減色動画像生成用フレームをサンプリングし、
前記減色動画像生成用フレームを前記パレットデータにより減色動画像フレームに変換し、
該減色動画像フレームを合成して前記減色動画像を生成することを特徴とする動画像変換方法。
【請求項６】
複数フレームからなる動画像を所定数の色を有する減色動画像に変換する動画像変換方法をコンピュータに実行させるためのプログラムにおいて、
前記複数フレームを代表する基準フレームを生成する手順と、
該基準フレームから前記所定数の色の１つのパレットデータを生成する手順と、
前記複数フレームから前記減色動画像の生成に使用する複数の減色動画像生成用フレームをサンプリングする手順と、
前記減色動画像生成用フレームを前記パレットデータにより減色動画像フレームに変換する手順と、
該減色動画像フレームを合成して前記減色動画像を生成する手順とを有することを特徴とするプログラム。
【請求項７】
動画像の送信を要求した送信要求端末装置に、該要求された動画像を送信する動画像配信方法において、
前記送信要求端末装置の機種を判別し、
該送信要求端末装置の機種が前記動画像を表示できないが減色動画像を表示できる場合に、前記要求された動画像を減色動画像に変換し、
前記減色動画像を前記動画像に代えて前記送信要求端末装置に送信することを特徴とする動画像配信方法。
【請求項８】
動画像の送信を要求した送信要求端末装置に、該要求された動画像を送信する動画像配信方法をコンピュータに実行させるためのプログラムにおいて、
前記送信要求端末装置の機種を判別する手順と、
該送信要求端末装置の機種が前記動画像を表示できないが減色動画像を表示できる場合に、前記要求された動画像を減色動画像に変換する手順と、
前記減色動画像を前記動画像に代えて前記送信要求端末装置に送信する手順とを有することを特徴とするプログラム。
【発明の詳細な説明】
【０００１】
【発明の属する技術分野】
本発明は、動画像を減色動画像に変換する動画像変換装置および方法、動画像を携帯端末装置等に配信する動画像配信装置および方法並びに動画像変換方法および動画像配信方法をコンピュータに実行させるためのプログラムに関するものである。
【０００２】
【従来の技術】
デジタルカメラやスキャナ等により取得される画像は、ＲＧＢ各色８ビットの合計２４ビットの色すなわち約１６７７万色の色を表現することが可能である。しかしながら、画像を再生する装置によっては、これよりも少ない（例えば２５６色）の色数しか表現できない場合がある。また、ウェブサイトにおいて利用頻度が高いｇｉｆやｐｎｇ等の画像フォーマットが扱うことが可能な色は２５６色である。したがって、デジタルカメラ等により取得された画像を、表現可能な色数が少ない再生装置に表示したり、ｇｉｆやｐｎｇ等の画像フォーマットに変換する場合には、１６７７万色の色数を２５６色に減色する必要がある。
【０００３】
従来よりこのような減色処理は、減色処理を行う画像を２５６色で表現するのに最適な２５６色のパレット色からなるパレットデータを生成し、パレットデータのパレット色の中から、画素毎に変換すべき色を選択して各画素を減色していくことにより行っている。
【０００４】
また、デジタルビデオカメラにより取得された動画像をリアルタイムで減色処理して、静止画像が連続的に切り替わることによる動きのある画像（以下減色動画像とする）を生成する方法が提案されている（特許文献１参照）。この方法は、動画像に含まれる１／６０秒毎に変化するフレームをコマ落ちさせることなくリアルタイムで減色処理するために、各フレーム毎にパレットデータを生成するのではなく、数フレーム毎にパレットデータを生成し、数フレーム単位で１つのパレットデータを用いて減色処理を行う方法である。
【０００５】
一方、カメラ付き携帯電話機等の携帯端末装置の機能の向上は著しく、通信速度の向上とも相まって、動画像を撮影し、撮影した動画像を電子メールに添付して送信したり、動画像コンテンツを配信する動画像配信サーバにアクセスして、所望とする動画像コンテンツをダウンロードして再生可能な携帯端末装置が提案されている。
【０００６】
また、静止画像ではあるが、カメラ付きの携帯端末装置から送信された画像が添付された電子メールに対して、送信先の端末装置の種類に応じて適切な画像処理を施すメール中継装置が提案されている（特許文献２参照）。このようなメール中継装置を用いれば、送信先の携帯端末装置が有する画面サイズ、画面の明るさや色合い等に適した画像となるように画像データに画像処理を施して、画像添付電子メールを送信することができる。
【０００７】
【特許文献１】
特開平１１−２５９６４０号公報
【０００８】
【特許文献２】
特願２００２−２１４２１５号
【０００９】
【発明が解決しようとする課題】
しかしながら、上記特許文献１に記載された方法は、数フレーム毎にパレットデータを生成しているため、高性能の処理装置を用意しないと処理速度が低下してしまい、その結果、装置の規模が大きくなってしまうという問題がある。
【００１０】
また、動画像を再生可能な携帯端末装置に動画像コンテンツを配信した場合、その携帯端末装置には動画像を表示することができるが、動画像を再生することができない携帯端末装置はまだ多く使用されているため、そのような携帯端末装置においては、たとえその機種に応じて適切に画像処理が施された動画像を配信してもそれを表示することができない。
【００１１】
本発明は上記事情に鑑みなされたものであり、装置の規模を大きくすることなく動画像から減色動画像を得ることができるようにすることを第１の目的とする。
【００１２】
また、本発明は、動画像を表示できない装置においても、その動画像を擬似的に表示できるようにすることを第２の目的とする。
【００１３】
【課題を解決するための手段】
本発明による動画像変換装置は、複数フレームからなる動画像を所定数の色を有する減色動画像に変換する動画像変換装置において、
前記複数フレームを代表する基準フレームを生成する基準フレーム生成手段と、
該基準フレームから前記所定数の色の１つのパレットデータを生成するパレットデータ生成手段と、
前記複数フレームから前記減色動画像の生成に使用する複数の減色動画像生成用フレームをサンプリングするフレームサンプリング手段と、
前記減色動画像生成用フレームを前記パレットデータにより減色動画像フレームに変換する減色処理手段と、
該減色動画像フレームを合成して前記減色動画像を生成するフレーム合成手段とを備えたことを特徴とするものである。
【００１４】
なお、本発明による動画像変換装置においては、前記基準フレーム生成手段は、前記複数フレームの全部または一部のフレームから前記基準フレームを生成する手段であってもよい。
【００１５】
ここで、複数フレームの一部のフレームとして、減色動画像生成用フレームを用いてもよい。
【００１６】
本発明による動画像配信装置は、動画像の送信を要求した送信要求端末装置に、該要求された動画像を送信する動画像配信装置において、
前記送信要求端末装置の機種を判別する機種判別手段と、
該送信要求端末装置の機種が前記動画像を表示できないが減色動画像を表示できる場合に、前記要求された動画像を減色動画像に変換する減色動画像変換手段とを備え、
前記減色動画像を前記動画像に代えて前記送信要求端末装置に送信することを特徴とするものである。
【００１７】
なお、本発明による動画像配信装置においては、前記減色動画像変換手段は、前記動画像を構成する複数フレームを代表する基準フレームを生成する基準フレーム生成手段と、
該基準フレームから前記所定数の色の１つのパレットデータを生成するパレットデータ生成手段と、
前記複数のフレームから前記減色動画像の生成に使用する複数の減色動画像生成用フレームをサンプリングするフレームサンプリング手段と、
前記減色動画像生成用フレームを前記パレットデータにより減色動画像フレームに変換する減色処理手段と、
該減色動画像フレームを合成して前記減色動画像を生成するフレーム合成手段とを備えたものであってもよい。
【００１８】
本発明による動画像変換方法は、複数フレームからなる動画像を所定数の色を有する減色動画像に変換する動画像変換方法において、
前記複数フレームを代表する基準フレームを生成し、
該基準フレームから前記所定数の色の１つのパレットデータを生成し、
前記複数フレームから前記減色動画像の生成に使用する複数の減色動画像生成用フレームをサンプリングし、
前記減色動画像生成用フレームを前記パレットデータにより減色動画像フレームに変換し、
該減色動画像フレームを合成して前記減色動画像を生成することを特徴とするものである。
【００１９】
本発明による動画像配信方法は、動画像の送信を要求した送信要求端末装置に、該要求された動画像を送信する動画像配信方法において、
前記送信要求端末装置の機種を判別し、
該送信要求端末装置の機種が前記動画像を表示できないが減色動画像を表示できる場合に、前記要求された動画像を減色動画像に変換し、
前記減色動画像を前記動画像に代えて前記送信要求端末装置に送信することを特徴とするものである。
【００２０】
なお、本発明による動画像変換方法および動画像配信方法をコンピュータに実行させるためのプログラムとして提供してもよい。
【００２１】
【発明の効果】
本発明による動画像変換装置および方法によれば、動画像の複数フレームを代表する基準フレームが生成され、基準フレームから所定数の色の１つのパレットデータが生成される。そして、動画像の複数フレームから減色動画像の生成に使用する複数の減色動画像生成用フレームがサンプリングされ、減色動画像生成用フレームがパレットデータにより減色動画像フレームに変換される。そして減色動画像フレームが合成されて減色動画像が生成される。このように、本発明によれば、上記特許文献１に記載された方法のように、数フレーム毎にパレットデータを生成することなく、１つのパレットデータのみを生成し、このパレットデータを用いて動画像から減色動画像を得るようにしたため、装置の規模を大きくすることなく、動画像から減色動画像を得ることができる。
【００２２】
また、複数フレームの全部または一部のフレームから基準フレームを生成すれば、複数フレームのうちの全部または一部のフレームの色を反映させてパレットデータを生成することができるため、元の動画像の色を大きく変更することなく減色動画像を得ることができる。
【００２３】
本発明の動画像配信装置および方法によれば、動画像の送信を要求した送信要求端末装置の機種が判別され、その送信要求端末装置の機種が、動画像を表示できないが減色動画像を表示できる場合に、動画像が減色動画像に変換され、減色動画像が動画像に代えて送信要求端末装置に送信される。このため、携帯端末装置が動画像を表示できなくても、減色動画像により動画像を擬似的に表示することができる。
【００２４】
また、本発明による動画像配信装置および方法において、上記本発明による動画像変換装置および方法と同様に動画像から減色動画像を得ることにより、装置の規模を大きくすることなく、動画像から減色動画像を得ることができる。
【００２５】
【発明の実施の形態】
以下図面を参照して本発明の実施形態について説明する。図１は本発明の実施形態による動画像変換装置および動画像配信装置を適用した動画像配信サーバを用いた動画像配信システムの構成を示す概略ブロック図である。図１に示すように、本実施形態による動画像配信システムは、動画像配信サーバ１を備え、動画像コンテンツ作成装置であるパソコン２等において作成した動画像データＭ０を動画像配信サーバ１に保管し、携帯電話機、ＰＨＳ、ＰＤＡ等の携帯端末装置３から動画像の配信のリクエストを携帯電話通信網を介して動画像配信サーバ１に対して行って、動画像配信サーバ１から携帯端末装置３に動画像データＭ０を配信するものである。
【００２６】
図１に示すように、動画像配信サーバ１は、動画像蓄積部１１と、リクエスト受信部１２と、機種判別部１３と、動画像フォーマット変換部１４と、減色処理部１５と、画像出力部１６とを備える。
【００２７】
動画像蓄積部１１は、パソコン２が作成した動画像データＭ０を複数蓄積する。なお、動画像データＭ０は所定の圧縮形式により符号化されて動画像蓄積部１１に蓄積される。
【００２８】
リクエスト受信部１２は、携帯端末装置３が送信した動画像配信のリクエストを受信する。なお、携帯端末装置３が送信した動画像配信のリクエストには、リクエストを行う動画像データＭ０のファイル名および携帯端末装置３の機種を表す機種情報が含まれる。
【００２９】
機種判別部１３は、リクエストに含まれる機種情報に基づいて、携帯端末装置３の機種を判別する。
【００３０】
動画像フォーマット変換部１４は、リクエストに含まれるファイル名を有する動画像データＭ０を動画像蓄積部１１から読み出し、さらに動画像データＭ０を復号化して機種判別部１３が判別した携帯端末装置３の機種に応じて、読み出した動画像データＭ０のフォーマットを変換する。この際、動画像フォーマット変換部１４は、機種とフォーマットとの関係を表すテーブルを参照して動画像データＭ０のフォーマットを変換する。
【００３１】
図２は機種とフォーマットとの関係を表すテーブルを示す図である。図２に示すように、テーブルＴ１は、携帯端末装置３が携帯電話機である場合の機種毎に、動画像の表示の可否、画面サイズ、表示可能色数、表示可能な減色動画像のコマ数が割り当てられている。そして、動画像フォーマット変換部１４は、テーブルＴ１を参照して、リクエストを行った機種の表示画面サイズおよび表示可能色数に適合するように動画像データＭ０のフォーマットを変換してフォーマット変換済みの動画像データＭ１を生成する。なお、動画像データＭ１は符号化される。
【００３２】
減色処理部１５は、リクエストを行った携帯端末装置３が動画像を表示できない機種である場合に、フォーマット済みの動画像データＭ１を減色動画像データＲ１に変換する。図３は減色処理部１５の詳細な構成を示す概略ブロック図である。図３に示すように、減色処理部１５は、動画像入力部５１と、復号化部５２と、フレーム分離部５３と、基準フレーム生成部５４と、パレットデータ生成部５５と、フレームサンプリング部５６と、処理部５７と、フレーム合成部５８と、符号化部５９と、減色動画像出力部６０とを備える。
【００３３】
動画像入力部５１は、フォーマット変換済みの動画像データＭ１の減色処理部１５への入力を受け付ける。
【００３４】
復号化部５２は、符号化されている動画像データＭ１を復号化して生動画像データＭ１′を生成する。
【００３５】
フレーム分離部５３は、生動画像データＭ１′をフレーム単位の画像データ（以下フレームデータＦｒ０とする）に分離する。例えば本実施形態においては１フレームは１／６０秒の動画像を表すものである。
【００３６】
基準フレーム生成部５４は、フレームデータＦｒ０からパレットデータの生成に用いられる基準フレームデータＢ０を生成する。ここで、基準フレームデータＢ０としては、各フレームを時系列順に並べた場合における先頭のフレームデータＦｒ０を用いるものとする。なお、任意のフレームデータを基準フレームデータＢ０としてもよく、全フレームデータＦｒ０または全フレームデータＦｒ０から選択した複数のフレームデータＦｒ０′を１つの画像データとなるように合成し、この合成したフレームデータを基準フレームデータＢ０として生成してもよい。また、全フレームデータＦｒまたは全フレームデータＦｒ０から選択した複数のフレームデータＦｒ０′を平均することにより基準フレームデータＢ０を生成してもよい。なお、複数のフレームデータＦｒ０′としては、後述するフレームサンプリング部５６がサンプリングしたフレームデータを用いてもよい。
【００３７】
パレットデータ生成部５５は、基準フレームデータＢ０から減色処理に必要な色数のパレットデータＰ０を生成する。具体的にはメディアンカット法等を用いてパレットデータＰ０を生成することができるが、これに限定されるものではない。
【００３８】
ここで、メディアンカット法は、基準フレームデータＢ０を構成するＲＧＢの各色データをＲＧＢの３次元空間にプロットし、３次元空間上の色データが存在する範囲におけるメディアン値を求め、これをパレットデータを構成する１つのパレット色とし、さらにメディアン値により空間を２つに分割して、分割された空間におけるメディアン値を求めることを、パレットデータの色数（例えば２５６色）が得られるまで繰り返すことにより、パレットデータを構成するパレット色を求める方法である。
【００３９】
フレームサンプリング部５６は、フレームデータＦｒ０から減色動画像を構成するフレームデータをサンプリングする。具体的には、図２に示すテーブルＴ１を参照して、リクエストを行った携帯端末装置３が表示することが可能な減色動画像のコマ数の情報を取得し、このコマ数に相当する数のフレームデータをサンプリングする。この際、サンプリングするフレームデータは、動画像データＭ０の再生時間をコマ数により等分した時間におけるフレームデータとすればよい。なお、フレームデータをサンプリングするのみならず、フレーム間において補間を行って新たなフレームデータを生成してもよい。
【００４０】
処理部５７は、フレームサンプリング部５６がサンプリングしたフレームデータＦｒ１に対して、パレットデータＰ０を用いて減色処理を施す。減色処理の方法としては、誤差拡散法等を用いることができる。これにより、減色されたフレームデータＦｒ２が生成される。
【００４１】
フレーム合成部５８は、処理部５７が生成したフレームデータＦｒ２を時系列順に並べて１つのファイルとなるように合成することにより、各フレームの画像が連続的に切り替わって再生される減色生動画像データＲ０を生成する。
【００４２】
符号化部５９は、減色生動画像データＲ０を符号化して減色動画像データＲ１を生成する。なお、減色動画像データＲ１のファイルフォーマットとしては、アニメーションｇｉｆやｐｎｇのアニメーションｇｉｆに対応するフォーマットのｍｎｇを用いることができるが、これに限定されるものではない。
【００４３】
減色動画像出力部６０は、符号化部５９が生成した減色動画像データＲ１を画像出力部１６に出力する。
【００４４】
次いで、本実施形態において行われる処理について説明する。図４は、本実施形態において行われる処理を示すフローチャートである。携帯端末装置３が送信した動画像配信のリクエストをリクエスト受信部１２が受信すると処理が開始され、機種判別部１３がリクエストに含まれる機種情報に基づいて、携帯端末装置３の機種を判別する（ステップＳ１）。続いて、動画像フォーマット変換部１４が、リクエストに含まれるファイル名を有する動画像データＭ０を動画像蓄積部１１から読み出し（ステップＳ２）、テーブルＴ１を参照してリクエストを行った携帯端末装置３の機種に適合するように、動画像データＭ０のフォーマットを変換してフォーマット変換済みの動画像データＭ１を取得する（ステップＳ３）。
【００４５】
次いで、減色処理部１５は、リクエストを行った携帯端末装置３が動画像を表示できる機種であるか否かを判定し（ステップＳ４）、ステップＳ４が否定されると、動画像データＭ１に対して減色処理を行う（ステップＳ５）。
【００４６】
図５は、減色処理のフローチャートである。まず、動画像入力部５１が動画像データＭ１の入力を受け付け（ステップＳ１１）、復号化部５２が動画像データＭ１を復号化して生動画像データＭ１′を取得する（ステップＳ１２）。続いて、フレーム分離部５３が生動画像データＭ１′をフレーム単位の画像データであるフレームデータＦｒ０に分離し（ステップＳ１３）、基準フレーム生成部５４が、フレームデータＦｒ０から基準フレームデータＢ０を生成する（ステップＳ１４）。そして、パレットデータ生成部５５が、基準フレームデータＢ０からパレットデータＰ０を生成する（ステップＳ１５）。
【００４７】
一方、フレームサンプリング部５６が、フレームデータＦｒ０から減色動画像を構成するフレームデータＦｒ１をサンプリングする（ステップＳ１６）。なお、ステップＳ１６の処理を先に行ってもよく、ステップＳ１４，Ｓ１５およびステップＳ１６の処理を並列に行ってもよい。
【００４８】
そして、処理部５７が、フレームサンプリング部５６がサンプリングしたフレームデータＦｒ１に対して、パレットデータＰ０を用いて減色処理を施して減色されたフレームデータＦｒ２を生成する（ステップＳ１７）。次いで、フレーム合成部５８が、処理部５７が生成したフレームデータＦｒ２を時系列順に並べることにより１つのファイルとなるように合成して減色生動画像データＲ０を生成し（ステップＳ１８）、符号化部５９が減色生動画像データＲ０を符号化して減色動画像データＲ１を生成し（ステップＳ１９）、さらに減色動画像出力部６０が減色動画像データＲ１を出力して（ステップＳ２０）、減色処理を終了する。
【００４９】
図４に戻り、ステップＳ４が肯定された場合およびステップＳ５の減色処理が終了すると、画像出力部１６が減色動画像データＲ１または動画像データＭ１をリクエストを行った携帯端末装置３に送信し（ステップＳ６）、処理を終了する。
【００５０】
携帯端末装置３においては、減色動画像データＲ１または動画像データＭ１が受信される。ここで、携帯端末装置３が動画像を再生可能なものである場合には動画像データＭ１が送信され、動画像を表示できる。一方、携帯端末装置３が動画像を再生できない場合には減色動画像データＲ１が送信され、減色動画像データＲ１に基づいて、動画像データＭ１からサンプリングされたフレームが連続的に切り替わる動きのある画像が表示される。
【００５１】
このように、本実施形態においては、動画像の送信を要求した携帯端末装置３の機種を判別し、その機種が動画像を表示できないものである場合には、リクエストのあった動画像データＭ０を減色動画像データＲ１に変換して送信するようにしたため、携帯端末装置３が動画像を表示できなくても、減色動画像データＲ１により動画像を擬似的に表示することができる。
【００５２】
また、動画像データＭ１から減色動画像データＲ１を生成する際に、１つのパレットデータＰ０のみを生成しているため、上記特許文献１に記載された方法のように、数フレーム毎にパレットデータを生成する必要がなくなり、これにより、装置の規模を大きくすることなく、動画像データＭ０から減色動画像データＲ１を得ることができる。
【００５３】
なお、上記実施形態においては、図３に示すように減色処理部１５を構成して、１つのパレットデータＰ０のみを生成して動画像データＭ１から減色動画像データＲ１を生成しているが、上記特許文献１に記載された方法のように、数フレーム毎にパレットデータを生成して動画像データＭ１から減色動画像データＲ１を生成してもよい。また、これらの方法に限らず、動画像データＭ１から減色動画像データＲ１を生成できれば任意の方法を適用することができる。
【００５４】
また、携帯端末装置３に減色動画像データＲ１を送信する場合においては、携帯端末装置３が表示可能な画像データのファイルサイズの制限があるため、このようなファイルサイズの制限を考慮しないと、減色動画像データＲ１を送信しても、携帯端末装置３においては減色動画像を表示できない場合がある。
【００５５】
このため、リクエストを行った携帯端末装置３の機種に応じたファイルサイズとなるように減色動画像データＲ１を生成することにより、減色動画像データＲ１を送信したにも拘わらず、携帯端末装置３において減色動画像を表示できないということがなくなる。
【００５６】
なお、上記実施形態における減色処理部１５を、動画像を減色動画像に変換する動画像変換装置として単独で用いてもよい。この場合、携帯端末装置３の機種とは関係なく、動画像データＭ０を減色動画像データＲ１に変換することもできる。
【図面の簡単な説明】
【図１】本発明の実施形態による動画像変換装置および動画像配信装置を適用した動画像配信サーバを用いた動画像配信システムの構成を示す概略ブロック図
【図２】機種とフォーマットとの関係を表すテーブルを示す図
【図３】減色処理部の詳細な構成を示す概略ブロック図
【図４】本実施形態において行われる処理を示すフローチャート
【図５】減色処理のフローチャート
【符号の説明】
１    動画像配信サーバ
２    パソコン
３    携帯端末装置
１１    動画像蓄積部
１２    リクエスト受信部
１３    機種判別部
１４    動画像フォーマット変換部
１５    減色処理部
１６    画像出力部
５１    動画像入力部
５２    復号化部
５３    フレーム分離部
５４    基準フレーム生成部
５５    パレットデータ生成部
５６    フレームサンプリング部
５７    処理部
５８    フレーム合成部
５９    符号化部
６０    減色動画像出力部
【図１】
2004343612.tif 000003
【図２】
2004343612.tif 000004
【図３】
2004343612.tif 000005
【図４】
2004343612.tif 000006
【図５】
2004343612.tif 000007